(57)【要約】      （修正有）【課題】本発明は、ＵＳＢコネクタ等の抜け防止機構のないコネクタのケーブル等の抜け防止のための機構を提供する。【解決手段】ケーブル側コネクタが抜け防止機構を有しないインターフェイス装置の筐体部７に、ケーブル側コネクタの幅と高さに応じて調整できる抑えパーツ２，３と、筐体部の上下方向にスライドできるガイド部４とを一体化させた抜け防止機構を、コネクタケーブル位置に合わせて固定パーツで筐体部の所定の位置に取り付け、コネクタケーブルを抑えて抜けないように構成する。【選択図】図１
2006127905.tif 000002
【特許請求の範囲】
【請求項１】
外部装置との接続ケーブルコネクタに、該コネクタカバーの幅方向の寸法と、高さ方向の寸法を可変としたコネクタ抑え手段と、
該コネクタカバーの位置に合わせて前記コネクタ抑え手段を所定位置に固定する固定手段と、
を有し、前記コネクタ抑え手段で該接続ケーブルコネクタを挟み込み、コネクタの抜けを防止することを特徴とするコネクタの抜け防止機構。
【請求項２】
接続ケーブルコネクタの端部をコネクタの幅方向寸法を調整する機能を有し左右から挟み込むパーツと、
前記パーツと連携して、前記パーツの位置を、接続ケーブルの引き出し方向のコネクタの端部までの高さ方向に調節する機能を有する抑えパーツと、
前記挟み込みパーツと一体化された前記抑えパーツを、ケーブルコネクタの位置に合わせて、所定位置で固定する固定パーツと、
を有し、前記各パーツのそれぞれの方向に調整して、該接続ケーブルコネクタを抑えることを特徴とするコネクタの抜け防止機構。
【請求項３】
前記ケーブルはＵＳＢケーブルであることを特徴とする請求項１ないし請求項２のいずれかに記載のコネクタの抜け防止機構。
【発明の詳細な説明】
【技術分野】
【０００１】
本発明は、コネクタの抜け防止機構に係わり、更にはＵＳＢ（Ｕｎｉｖｅｒｓａｌ  Ｓｅｒｉａｌ  Ｂｕｓ）コネクタ等のケーブルに抜け防止機構が装備されないケーブルコネクタの抜け防止機構に係わる。
【背景技術】
【０００２】
パソコン等の電子機器には、様々な外部インターフェイスが設けられているが、その中でも使用頻度の高いインターフェイスのひとつとしてＵＳＢがある。しかし、そのＵＳＢ規格には抜け防止のための機構がないため、外部機器を接続し使用していると、使用中に抜けてしまうという問題があった。従来、ＵＳＢのコネクタ自体は規格により決められており、雄雌のコネクタのコンタクト力によってのみ外力が働いた際の抜けを抑えるものであった。そのため、微小な振動が長時間かかった場合やケーブルに引っ掛かるなどして外力が加わった場合、簡単に抜けてしまうという問題があった。
【０００３】
このように、外部インターフェイスにケーブルを接続した後、振動やケーブルに当たってしまうといった日常起こり得る現象においても、接続したコネクタが外れないようにする事は重要な課題である。これらの課題を解決する方法として、例えば、特許文献１、特許文献２があるが、いずれも特定のコネクタの形状／寸法にのみ使用できるものであり、コネクタの形状／寸法が相違しても対応できるものはなかった。
【特許文献１】特開２００１−１３５４１３号公報
【特許文献２】実開平７−１６３７６号公報
【発明の開示】
【発明が解決しようとする課題】
【０００４】
本発明は、装置側にコネクタ抜けを防止する機構を設け、簡単な操作で、ケーブルコネクタそのものを変えることなく、外力が働いた場合でもコネクタの抜けを抑えることを目的とする。
【課題を解決するための手段】
【０００５】
本発明は、ケーブル側コネクタを装置に接続した後、装置に設けられた抜け防止用のパーツを所定の位置にセットすることで抜けを防止するように構成する。
【発明の効果】
【０００６】
ＵＳＢコネクタは抜け易く、特に装置背面側に設けられたコネクタからケーブルが抜けた場合、ユーザが再び挿し直すには装置の移動を行わなければならない等、面倒な手間がかかった。また、ユーザにそれらの作業を頻繁に行わせると、コネクタの破損や接続障害を引き起こすもととなるという問題があった。しかし、本発明によれば、一度挿したコネクタは抑え部を解除しない限り抜ける事が無いのでユーザに不快感を与えなくなり、且つ、装置としての信頼性も向上させる事が出来るようになる。
【発明を実施するための最良の形態】
【０００７】
ケーブル側コネクタが抜け防止機構を有しないインターフェイス装置の筐体部に、ケーブル側コネクタカバーの幅と高さに応じて調整できる抑えパーツと、筐体部の上下方向にスライドできるガイド部とを一体化させた抜け防止機構を、コネクタケーブル位置に合わせて筐体部の所定位置に、固定パーツで取り付け、コネクタケーブルを抑えて抜けないように構成する。
【実施例】
【０００８】
図１、図２は、本発明の１実施例を説明するものであり、図１は本発明の実施例を示すコネクタ抜け防止機構斜視図、図２は本発明の個々のパーツの機能説明／構造分解図である。図１において、１はコネクタ装着部、２は抑えパーツＷ、３は抑えパーツＨ、４はガイド、５は把手、６は固定パーツ、７は筐体である。
【０００９】
１のコネクタ装着部はＵＳＢケーブル等のケーブル側コネクタが装着される、筐体７に実装されているレセプタクル側のコネクタである。２の抑えパーツＷはロック機構のないコネクタの抜けを防止する抑えパーツであり、図中（イ）の矢印で示すように、対応コネクタ幅に合わせた調整機能を有する。３の抑えパーツＨは筐体７側面から水平方向に出るケーブルのコネクタカバーを抑える位置を調整するもので（ロ）の矢印で示すように、謂わばコネクタカバーの高さ方向の調整を行うためのパーツである。４のガイドは２，３と一体に形成されて、筐体面における上下方向の位置を調整する、即ち（ハ）の矢印で示すように、筐体面に装着されるケーブルコネクタの上下方向の位置合わせをするものである。５の把手はガイド４を上下に操作し易いように設けられたものでガイド４の抜け防止を兼ねており、６の固定パーツはガイド４を所定位置に固定するものである。２〜５は一体化されてコネクタケーブルの抑え位置を調整して、抜け止め防止機能を果たす機構であり、固定パーツ６で筐体７にネジ止め等で固定する。
【００１０】
図２は図１の斜視図で説明した個々のパーツの機能説明／構造分解図であり、図２の要所において、同一構成部分には同一符号を付し、説明は省略する。図２において、（ａ）は抜け防止機構全体の側面図、（ｂ）は（ａ）を筐体正面から見た図、（ｃ）はコネクタケーブルを装着して、矢印の方向にガイド４を下げて抑えパーツＷ２をコネクタカバーに掛けた図、（ｄ）は（ｃ）での左右方向、即ち、コネクタカバーの高さ方向に合わせて調整することを示し、（ｅ）は（ｄ）のＡ矢示図で、同高さ方向の調整をする抑えパーツＨのスライド機構を示す。また、（ｆ）は（ｄ）を筐体正面から見た図で、（ｇ）は（ｆ）のコネクタケーブル部を除いてパーツのみを示すものである。（ｈ）は（ｇ）の分解図でありコネクタの幅方向の大小に合わせて調整するバネ部とロック部を示し、（ｉ）は（ｈ）の裏面を示す。
【００１１】
（ａ）において（ハ）の矢印で示す意味は図１で説明した通りであり、（ｂ）、（ｃ）、（ｄ）、（ｆ）に示す矢印も同様である。（ｄ）において破線の丸で囲った部分のＡ矢示図を（ｅ）に示すが、この部分を多段階に調整することで様々な高さ（ケーブル引き出し方向の長さ）のコネクタに対応できるようになっている。即ち、（ｅ）において（ロ）の矢印で示すスライド部は図示される「のこぎり歯状」部分の反対側の部品に図示されないバネが付勢され、そのバネにより反対側の部品の「のこぎり歯状」部との間で、山と谷部が嵌合して固定されるようになっている。
【００１２】
また、（ｇ）において（イ）の矢印で示す、破線の丸で囲った部分のスライド部の詳細を（ｈ）に示すが、この部分を多段階に調整する機能を持たせることにより様々な大きさのコネクタに対応できるようになっている。即ち、（ｈ）においても（イ）の矢印で示すスライド部は、ギザギザのあるロック部と反対側の部品のバネ部の「のこぎり歯状」の山と谷部が嵌合して固定されることは、（ｅ）で説明したことと同様である。
【図面の簡単な説明】
【００１３】
【図１】本発明の実施例を示すコネクタの抜け防止機構斜視図
【図２】本発明の個々のパーツの機能説明／構造分解図
【符号の説明】
【００１４】
１    コネクタ装着部
２    抑えパーツＷ
３    抑えパーツＨ
４    ガイド
５    把手
６    固定パーツ
７    筐体
【図１】
2006127905.tif 000003
【図２】
2006127905.tif 000004